(57)【要約】【課題】掃除具を画像形成装置の一定箇所に収容できるようにし、ユーザーがコンタクトガラスの清掃を容易に行えるようにする。【解決手段】掃除具が原稿自動送り装置６に形成された掃除具収容凹所２４に収容されているため、作業者が画像形成装置１から離れることなく掃除具を手に取ることができ、ユーザー側の作業者によるコンタクトガラス５の清掃作業が容易化する。また、掃除具収容凹所２４の蓋部材２６を開けると、蓋部材２６の内面側が作業者側に対面し、蓋部材２６の内表面２８の鏡面機能部３１によって掃除具収容凹所２４内が反射されて、作業者が掃除具収容凹所２４内の掃除具を視認することができる。また、蓋部材２６の内表面２８の鏡面機能部３１を鏡として使用し、印刷待機時間中に身だしなみを整えることも可能になる。【選択図】図２
2005238707.tif 000002
【特許請求の範囲】
【請求項１】
原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置であって、
前記蓋部材は、前記掃除具収容凹所の前記開口部を開いた際に、その内表面が前記画像形成装置本体の正面側に位置する作業者に対面にするようになっており、その作業者に対面する前記内表面に鏡面機能部が配置されたことを特徴とする画像形成装置。
【請求項２】
原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置であって、
前記蓋部材は、前記掃除具収容凹所の前記開口部を開いた際に、その内表面が前記画像形成装置本体の正面側に位置する作業者に対面するようになっており、その作業者に対面する前記内表面に液晶表示パネルが配置されたことを特徴とする画像形成装置。
【請求項３】
原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置であって、
前記掃除具収容凹所内が、少なくとも、前記掃除具を収容する部分と、クリップを収容する部分とに分割され、
前記掃除具収容凹部内の前記クリップを収容する部分に磁石が配置されたことを特徴とする画像形成装置。
【請求項４】
前記蓋部材がトルクリミッターを介して回動機構部に連繋されており、前記原稿自動送り装置が前記画像形成装置本体の上部を開く方向に回動すると、その原稿自動送り装置の回動に連動して回動機構部が作動し、
前記掃除具収容凹所の前記開口部を開いた状態にある前記蓋部材が前記回動機構部によって前記開口部を閉じることを特徴とする請求項１乃至３のいずれか１項に記載の画像形成装置。
【請求項５】
原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置であって、
前記蓋部材は、前記掃除具収容凹所の前記開口部を開いた際に、その内表面が前記装置本体の正面側に位置する作業者に対面にするようになっており、その作業者に対面する前記内表面に鏡面機能部が配置されたことを特徴とする画像読み取り装置。
【請求項６】
原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置であって、
前記蓋部材は、前記掃除具収容凹所の前記開口部を開いた際に、その内表面が前記装置本体の正面側に位置する作業者に対面するようになっており、その作業者に対面する前記内表面に液晶表示パネルが配置されたことを特徴とする画像読み取り装置。
【請求項７】
原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置であって、
前記掃除具収容凹所内が、少なくとも、前記掃除具を収容する部分と、クリップを収容する部分とに分割され、
前記掃除具収容凹部内の前記クリップを収容する部分に磁石が配置されたことを特徴とする画像読み取り装置。
【発明の詳細な説明】
【技術分野】
【０００１】
この発明は、原稿自動送り装置を備えた複写機、ファクシミリ、これらの複合機等の画像形成装置、及び原稿自動送り装置を備えたスキャナー等の画像読み取り装置に関するものである。
【背景技術】
【０００２】
原稿自動送り装置を備えた画像形成装置は、原稿給紙トレイ上から一枚ずつ原稿を画像読み取り部に送り込み、原稿の画像を流し読みするようになっている（特許文献１参照）。このような画像形成装置においては、画像読み取り部のコンタクトガラス面上を原稿がスライド移動するため、画像読み取り部のコンタクトガラスに原稿の汚れが付着し、このコンタクトガラスの汚れに起因する黒すじが印刷されてしまい、印刷不良を生じることがあった。このような場合、水か又は中性洗剤を含ませた柔らかい布（掃除具）を使用してコンタクトガラスの表面の汚れを拭き取るようになっている。
【０００３】
【特許文献１】特開平７−１７５２７９号公報
【発明の開示】
【発明が解決しようとする課題】
【０００４】
このような場合、掃除具が画像形成装置に収容されていると、ユーザーがコンタクトガラスの清掃作業を行う際に便利である。しかしながら、従来の画像形成装置は、掃除具を一定の箇所に保管できるようになっていなかったため、掃除具を別の保管場所に取りに行かなければならず、不便であった。
【０００５】
そこで、本発明は、掃除具を画像形成装置の一定箇所に収容できるようにし、ユーザーがコンタクトガラスの清掃を容易に行えるようにすることを目的としている。
【課題を解決するための手段】
【０００６】
請求項１の発明は、原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置に関するものである。そして、この画像形成装置において、前記蓋部材は、前記掃除具収容凹所の前記開口部を開いた際に、その内表面が前記画像形成装置本体の正面側に位置する作業者に対面にするようになっており、その作業者に対面する前記内表面に鏡面機能部が配置されたことを特徴としている。
【０００７】
請求項２の発明は、原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置に関するものである。そして、この画像形成装置において、前記蓋部材は、前記掃除具収容凹所の前記開口部を開いた際に、その内表面が前記画像形成装置本体の正面側に位置する作業者に対面するようになっており、その作業者に対面する前記内表面に液晶表示パネルが配置されたことを特徴としている。
【０００８】
請求項３の発明は、原稿を画像読み取り部に自動的に搬送する原稿自動送り装置が画像形成装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像形成装置に関するものである。この画像形成装置は、前記掃除具収容凹所内が、少なくとも、前記掃除具を収容する部分と、クリップを収容する部分とに分割されている。また、この画像形成装置は、前記掃除具収容凹部内の前記クリップを収容する部分に磁石が配置されている。
【０００９】
請求項４の発明は、請求項１乃至３のいずれかの発明の画像形成装置において、前記蓋部材の回動支持軸がトルクリミッターを介して回動機構部に連繋されており、前記原稿自動送り装置が前記画像形成装置本体の上部を開く方向に回動すると、その原稿自動送り装置の回動に連動して回動機構部が作動するようになっている。そして、前記掃除具収容凹所の前記開口部を開いた状態にある前記蓋部材が前記回動機構部によって前記開口部を閉じるようになっている。
【００１０】
請求項５の発明は、原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置に関するものである。そして、この発明において、前記蓋部材は、前記掃除具収容凹所の前記開口部を開いた際に、その内表面が前記装置本体の正面側に位置する作業者に対面にするようになっており、その作業者に対面する前記内表面に鏡面機能部が配置されたことを特徴としている。
【００１１】
請求項６の発明は、原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置に関するものである。そして、この発明において、前記蓋部材は、前記掃除具収容凹所の前記開口部を開いた際に、その内表面が前記装置本体の正面側に位置する作業者に対面するようになっており、その作業者に対面する前記内表面に液晶表示パネルが配置されたことを特徴としている。
【００１２】
請求項７の発明は、原稿を画像読み取り部に自動的に搬送する原稿自動送り装置が装置本体の上部に開閉できるように回動可能に取り付けられ、前記画像読み取り部を掃除するための掃除具を収容する掃除具収容凹所が前記原稿自動送り装置の回動支持側の空きスペースに形成され、前記掃除具収容凹所の開口部に開閉可能な蓋部材が取り付けられた画像読み取り装置に関するものである。この発明において、前記掃除具収容凹所内が、少なくとも、前記掃除具を収容する部分と、クリップを収容する部分とに分割されている。そして、前記掃除具収容凹部内の前記クリップを収容する部分に磁石が配置されている。
【発明の効果】
【００１３】
請求項１の発明は、掃除具が原稿自動送り装置に形成された掃除具収容凹所に収容されているため、作業者が画像形成装置から離れることなく掃除具を手に取ることができ、ユーザー側の作業者によるコンタクトガラスの清掃作業が容易化する。しかも、本発明によれば、掃除具収容凹所の蓋部材を開けると、蓋部材の内面側が作業者側に対面し、蓋部材の内表面の鏡面機能部によって掃除具収容凹所内が反射されて、作業者が掃除具収容凹所内の掃除具を視認することができる。したがって、本発明によれば、掃除具収容凹所が作業者から離れた位置にあったとしても、掃除具を掃除具収容凹所内から容易に取り出すことができる。加えて、本発明によれば、作業者が、掃除具収容凹部の蓋部材を開いて、その内表面の鏡面機能部を鏡として使用し、印刷待機時間中に身だしなみを整えることも可能になる。
【００１４】
請求項２の発明は、請求項１の発明と同様に、掃除具が原稿自動送り装置に形成された掃除具収容凹所に収容されているため、作業者が画像形成装置から離れることなく掃除具を手に取ることができ、ユーザー側の作業者によるコンタクトガラスの清掃作業が容易化する。しかも、本発明によれば、掃除具収容凹所の蓋部材を開けると、蓋部材の内面側が作業者側に対面し、作業者が蓋部材の内表面に配置された液晶表示パネルを見ることができる。したがって、液晶表示パネルに画像形成装置の操作パネルの表示画面とは別の画像（例えば、犬や猫等の動物、植物、風景等の癒し系画像又は眼精疲労回復用の画像等）を表示させるようにすれば、作業者の気分転換を図ることが可能になると共に、作業者の気分を楽しくさせることが可能になる。
【００１５】
請求項３の発明は、請求項１の発明と同様に、掃除具が原稿自動送り装置に形成された掃除具収容凹所に収容されているため、作業者が画像形成装置から離れることなく掃除具を手に取ることができ、ユーザー側の作業者によるコンタクトガラスの清掃作業が容易化する。しかも、本発明によれば、複数枚の原稿の読み取りを原稿自動送り装置で行うため、原稿を束ねてあったクリップを外したとしても、その外したクリップを掃除具収容凹所内に掃除具と分離した状態で収容しておくことができる。加えて、本発明によれば、クリップを収容する部分に磁石が配置され、金属製のクリップを磁石で保持することができるため、原稿自動送り装置の開閉動作の衝撃が生じたとしても、錆びやすい金属製のクリップが掃除具を収容する部分側に混入するのを防止することができる。
【００１６】
請求項４の発明によれば、原稿自動送り装置を画像形成装置本体の上部から開くと、蓋部材が掃除具収容凹所の開口部を確実に閉じることができる。その結果、本発明は、掃除具収容凹所内の掃除具等の収容物が原稿自動送り装置の開動作で落下するようなことがない。
【発明を実施するための最良の形態】
【００１７】
以下、本発明の実施の形態を図面に基づき詳述する。
【００１８】
図１は、本発明の実施の形態に係る画像形成装置１の概略構成を示す図である。この図に示すように、画像形成装置１は、画像形成装置本体２の内部にプリント部３及びスキャナ部４が収容されている。そして、この画像形成装置本体２の上部には、原稿を画像読み取り部（コンタクトガラス）５に一枚ずつ自動的に送り込む原稿自動送り装置６が取り付けられている。
【００１９】
この画像形成装置１は、図１に示すように、原稿自動送り装置６によってコンタクトガラス５に送り込まれた原稿の画像情報をスキャナ部４で読み取って光電変換し、その光電変換したデジタルデータをプリント部３の画像形成手段７に出力するようになっている。そして、この画像形成装置１のプリント部３は、給紙トレイ８から送り出されたシート（コピー用紙やプラスチックフィルム等のシート状の記録材）Ｐに画像形成手段７でトナー画像を形成（転写）し、そのトナー画像が転写されたシートＰを定着手段１０によって加熱・加圧し、シートＰにトナー画像を定着させた後、プリント済みのシートＰを排紙トレイ１１上に排出するようになっている。なお、スキャナ部４は、画像読み取り手段としての走査ユニット１２が図１の画像読み取り位置（ＨＰ）に固定されて、原稿自動送り装置６によって搬送される原稿を流し読みする他に、走査ユニット１２がＨＰから図１の右側方向に移動して、プラテンガラス（画像読み取り部）１３の上面に固定された原稿の画像面を走査することもできるようになっている。また、画像形成手段７は、スキャナ部４で読み取った画像データや、外部電子機器（例えば、一般通信回線や社内ＬＡＮ等で接続されたファクシミリや複写機等の他の画像形成装置、パソコン、スキャナ、携帯型電子端末等）からの送信データに基づいて、シートＰにトナー画像を転写するようになっている。
【００２０】
原稿自動送り装置６は、図１乃至図３に示すようになっており、画像形成装置本体２の背面側の上部に回動可能に取り付けられており、画像形成装置本体２から持ち上げるように回動させることにより、画像形成装置本体２の上部に固定されたプラテンガラス１３の上面を開くことができるようになっている。
【００２１】
このような原稿自動送り装置６は、原稿給紙台１４上の原稿を給紙ローラ１５で一枚ずつ原稿搬送路１６に送り出し、その原稿搬送路１６に送り出された原稿を搬送ローラ対１７，１８によって原稿搬送路１６に沿ってコンタクトガラス５上まで搬送し、このコンタクトガラス５の画像読み取り位置２０で走査ユニット１２によって画像情報を読み取られた原稿を排紙ローラ２１で原稿排紙台２２上に排出するようになっている。
【００２２】
また、原稿自動送り装置６は、その画像形成装置本体２の背面側の上部空きスペース（原稿給紙台１４の横の空きスペース）２３に、掃除具収容凹所２４が形成されている。この掃除具収容凹所２４は、略四角柱形状の空間であり、コンタクトガラス５やプラテンガラス１３を清掃するために使用する柔らかい布や清掃液（水又は中性洗剤）収容容器等を収容できるようになっている。そして、この掃除具収容凹所２４の矩形状の開口部２５には、この開口部２５を開閉する蓋部材２６が回動可能に取り付けられている。
【００２３】
なお、蓋部材２６は、その側面２７，２７側と掃除具収容凹所２４の開口部２５とを凹凸係合させることにより、掃除具収容凹所２４の開口部２５を閉じた状態が保持されるようになっている。また、蓋部材２６は、蓋部材２６と掃除具収容凹所２４の開口部２５との凹凸係合を作業者の指先の力で容易に解除できるようになっている。また、蓋部材２６の最大の開角度は、ストッパ等により規制されるようになっている。
【００２４】
この蓋部材２６は、掃除具収容凹所２４の開口部２５を開いた際に、その内表面２８が画像形成装置本体２の正面側に位置する作業者に対面するように、その画像形成装置本体２の背面側に位置する端部が原稿自動送り装置６のフレーム３０に回動可能に支持されている。そして、このような蓋部材２６の内表面２８に鏡面機能部（例えば、鏡や鏡として機能する光反射性にすぐれたステンレスプレート等）３１を固定すれば、掃除具収容凹所２４内に収容された物が鏡面機能部３１に写るため、画像形成装置本体２の正面側に位置する作業者であっても、離れた位置にある掃除具収容凹所２４内を鏡面機能部３１を介して容易に視認することができる。また、このように蓋部材２６の内表面２８に鏡面機能部３１を固定すれば、作業者は、プリント待ち時間に、蓋部材２６を開いて、蓋部材２６の内表面２８の鏡面機能部３１に自分の姿を写し、身だしなみを整えることも可能である。
【００２５】
また、蓋部材２６に、鏡面機能部３１に変えて液晶表示パネル３２を取り付けて、この液晶表示パネル３２に図示しない操作パネルの液晶表示パネルとは別の画像を表示させるようにしてもよい。例えば、蓋部材２６の液晶表示パネル３２に、犬や猫等の動物、植物、風景等の癒し系画像又は眼精疲労回復用の画像等を表示させるようにすれば、作業者の気分転換を図ることが可能になると共に、作業者の気分を楽しくさせることが可能になる。ここで、操作パネルの液晶表示パネルとは、画像形成装置１の操作部に各種キーやボタンと共に配置され、各種機能選択画面や稼働状況等を表示するために使用される画像形成装置１に必須の表示部である。これに対し、蓋部材２６の内表面２８に取り付けられる液晶表示パネル３２は、画像形成装置１に選択的に取り付けられる表示部である。なお、液晶表示パネル３２として、例えば、特開２００３−２０９６０５に開示されたような、鏡の機能を備えた液晶表示パネルを使用することにより、上述の鏡面機能部３１と液晶表示パネル３２の両方の機能を一体化させることも可能である。
【００２６】
このような構成の画像形成装置１は、コンタクトガラス５の汚れに起因する黒すじがプリントされたり、プラテンガラス１３の汚れに起因するプリント不良が生じたような場合、蓋部材２６を開き、掃除具収容凹所２４内の掃除具を取り出した後、蓋部材２６を閉じ、原稿自動送り装置６を画像形成装置本体２の上部から持ち上げるように回動させ、コンタクトガラス５上面とプラテンガラス１３上面を開放する（図３参照）。この状態において、水又は中性洗剤を含ませた掃除具でコンタクトガラス５やプラテンガラス１３に付着した汚れを拭き取る。そして、コンタクトガラス５やプラテンガラス１３の清掃面が乾燥した後、原稿自動送り装置６を閉じて、原稿の読み取り作業やプリント作業を実行することになる。使用済みの掃除具は、掃除具収容凹所２４内に収容されて保管される。
【００２７】
このような構成の本実施の形態によれば、掃除具が原稿自動送り装置６に形成された掃除具収容凹所２４に収容されているため、作業者が画像形成装置１から離れることなく掃除具を手に取ることができ、ユーザー側の作業者によるコンタクトガラス５の清掃作業が容易化する。
【実施例１】
【００２８】
図４及び図５は、本発明の実施例１を示すものであり、蓋部材２６と回動機構部３３との連繋状態を示すものである。
【００２９】
これらの図に示す本実施例１に係る画像形成装置１は、蓋部材２６を開き、掃除具を掃除具収容凹所２４から取り出した後（図２参照）、原稿自動送り装置６を開くと、センサ３４によって原稿自動送り装置６が開いたことを検知し、その検知信号が制御手段（ＣＰＵ）３５に入力されると、制御手段３５が回動機構部３３に制御信号を出力し、回動機構部３３が作動して蓋部材２６を閉じるようになっている。  ここで、回動機構部３３は、例えば、アクチュエータとしてのソレノイドと、このソレノイドの直線運動を蓋部材２６の回動支持軸３６の回動運動に変換するラックとピニオン３７とからなるギヤトレインと、で構成してもよい。また、回動機構部３３は、例えば、アクチュエータとしてのモータと、このモータの回転を蓋部材２６の回動支持軸３６に伝達するギヤトレインと、で構成するようにしてもよい。
【００３０】
なお、蓋部材２６は、回動機構部３３が停止している場合でも、作業者が自由に開閉できるように、トルクリミッター３８を介して回動支持軸３６に取り付けられている（図５参照）。また、本実施例１においては、蓋部材２６を回動機構部３３で閉じるようになっているため、上述の実施の形態のような、蓋部材２６と掃除具収容凹所２４の開口部を凹凸係合させるような構成を採用していない。また、本実施例１において、トルクリミッター３８は、蓋部材２６の回動支持軸３６を固定した状態でも、蓋部材２６を作業者の指先で回動支持軸３６に対して相対回動させることができる程度の摩擦抵抗が蓋部材２６と回動支持軸３６との間に作用するようになっていればよい。例えば、トルクリミッター３８としては、ゴムや樹脂の摩擦リングが考えられるが、これに限定されるものではない。また、トルクリミッター３８は、回動機構部３３のアクチュエータが停止している状態でも、作業者の指先で蓋部材２６を開閉させることができ、また、回動機構部３３を作動させることによって蓋部材２６を閉じることができればよく、回動機構部３３の適当な位置に配置することができる。
【００３１】
このような構成の本実施例１によれば、原稿自動送り装置６を開く際に、蓋部材２６を閉め忘れていたとしても、回動機構部３３が原稿自動送り装置６の開扉動作に連動して蓋部材２６を閉じるため、掃除具収容凹所２４内の収容物が落下するようなことがない。
【００３２】
なお、蓋部材２６は、作業者の身長や使用勝手に応じて、その開き角度を適宜調節することができ、その任意の開き角度において、トルクリミッターの摩擦力で保持される。
【実施例２】
【００３３】
図６は、本発明の実施例２に係る画像形成装置１の掃除具収容凹所２４内の構成を示すものである。この図６に示すように、掃除具収容凹所２４は、その内部を複数に分割し、掃除具を収容する部分２４ａの他に、クリップ等を収容する部分２４ｂを形成してもよい。この場合、掃除具収容凹所２４内のクリップを収容する部分の内面に磁石４０を配置し、金属製のクリップ等を磁石４０で保持することができる。その結果、原稿自動送り装置６の開閉動作に起因する衝撃があったとしても、錆びやすい金属製のクリップ等が水や中性洗剤で濡れた掃除具を収容する部分２４ａに混入するようなことがなくなる。
【００３４】
なお、本実施例は、掃除具収容凹所２４内を２分割する態様を例示したが、これに限られず、さらに多く分割するようにしてもよい。
【産業上の利用可能性】
【００３５】
この発明は、原稿自動送り装置を備えた複写機、ファクシミリ装置、これらの複合機等の画像形成装置に広く適用することができる。また、本発明は、スキャナー部の上部に原稿自動送り装置を設置するネットワークスキャナーのような画像読み取り装置にも適用することができる。なお、この画像読み取り装置の場合には、画像形成装置本体の代わりに、単に装置本体（画像読み取り装置本体）として適用される。このような本発明を適用した画像読み取り装置は、上述した実施の形態や各実施例と同様の効果を得ることができる。また、上述の実施の形態及び各実施例において、電子写真方式の画像形成装置を例示したが、これに限られず、インクジェット方式の画像形成装置にも適用することができる。
【図面の簡単な説明】
【００３６】
【図１】本発明の実施の形態に係る画像形成装置の概略構成図である。
【図２】図１の画像形成装置を構成する原稿自動送り装置の外観斜視図である。
【図３】図１の画像形成装置において、原稿自動送り装置を開いた状態を模式的に示す外観斜視図である。
【図４】（ａ）は、本発明の実施例１に係る画像形成装置において、原稿自動送り装置を閉じた状態を示す概略構成図である。（ｂ）は、同原稿自動送り装置の開動作がセンサにより検知された状態を示す概略構成図である。
【図５】本発明の実施例１に係る蓋部材と回動機構部との連繋状態を示す図である。
【図６】本発明の実施例２に係る画像形成装置の掃除具収容凹所の変形例を示す模式的平面図である。
【符号の説明】
【００３７】
１……画像形成装置、２……画像形成装置本体、４……スキャナ部（画像読み取り装置）、５……コンタクトガラス（画像読み取り装置）、６……原稿自動送り装置（画像読み取り装置）、２３……空きスペース、２４……掃除具収容凹所、２４ａ……掃除具を収容する部分、２４ｂ……クリップを収容する部分、２５……開口部、２６……蓋部材、２８……内表面、３１……鏡面機能部、３２……液晶表示パネル、３３……回動機構部、３６……回動支持軸、３８……トルクリミッター、４０……磁石
【図１】
2005238707.tif 000003
【図２】
2005238707.tif 000004
【図３】
2005238707.tif 000005
【図４】
2005238707.tif 000006
【図５】
2005238707.tif 000007
【図６】
2005238707.tif 000008